(57)【要約】【課題】配信希望のコンテンツおよび配信に失敗したコンテンツの特定を容易にする。【解決手段】ＩＣタグ用コンテンツ配信装置３は、各表示装置１にコンテンツ見出し情報を表示する。また、各情報読書き装置２をいずれかの表示装置１に対応付ける。さらに、いずれかの情報読書き装置２が検出したＩＣタグ６に未配信コンテンツＩＤが登録されているならば、当該情報読書き装置２により未配信コンテンツＩＤに対応するコンテンツをＩＣタグ６に書込み、その後、この未配信コンテンツＩＤを削除する。一方、登録されていないならば、当該情報読書き装置２に対応付けられている表示装置１が表示中の見出し情報に対応するコンテンツＩＤを未配信コンテンツＩＤとしてＩＣタグ６に書込み、それから、当該見出し情報に対応するコンテンツをＩＣタグ６に書き込む。そして、書込みが終了した後に、ＩＣタグ６から未配信コンテンツＩＤを削除する。【選択図】図１
2006139705.tif 000002
【特許請求の範囲】
【請求項１】
コンテンツを無線機能付き記憶媒体に配信するコンテンツ配信システムであって、
第１のネットワークにより互いに接続された、短距離無線通信方式を用いて前記無線通信機能付き記憶媒体に情報を読書きする少なくとも１つの情報読書き装置、コンテンツとその見出し情報を保持する第１のコンテンツ配信装置、および、前記第１のコンテンツ配信装置が保持するコンテンツの見出し情報を表示する少なくとも１つの表示装置を有し、
前記情報読書き装置は、
前記無線通信機能付き記憶媒体と通信可能になった場合に、コンテンツ配信要求を前記コンテンツ配信装置に送信するコンテンツ配信要求手段と、
前記コンテンツ配信装置から受信した要求に従い、通信可能な状態にある前記無線通信機能付き記憶媒体に情報を書込む、あるいは、通信可能な状態にある前記無線通信機能付き記憶媒体から情報を消去する情報読書き手段と、を有し、
前記第１のコンテンツ配信装置は、
コンテンツＩＤ毎に、コンテンツとその見出し情報を記憶する第１のコンテンツ記憶手段と、
前記表示装置に、前記第１のコンテンツ記憶手段に記憶されているコンテンツの見出し情報を送信する表示処理手段と、
前記情報読書き装置と前記表示装置との対応関係情報を記憶する第１の対応関係情報記憶手段と、
前記コンテンツ配信要求を受信した場合に、当該コンテンツ配信要求の送信元である前記情報読書き装置に、前記第１のコンテンツ記憶手段に記憶されているコンテンツを送信する第１のコンテンツ配信処理手段と、を有し、
前記コンテンツ配信要求手段は、
通信可能となった前記無線通信機能付き記憶媒体に未配信コンテンツＩＤが記憶されている場合、当該未配信コンテンツＩＤを読み出して前記コンテンツ配信要求に含め、
前記第１のコンテンツ配信処理手段は、
受信した前記コンテンツ配信要求に未配信コンテンツＩＤが登録されている場合に、当該未配信コンテンツＩＤに対応付けられて前記第１のコンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信し、
受信した前記コンテンツ配信要求に未配信コンテンツＩＤが登録されていない場合に、当該コンテンツ配信要求の送信元である前記情報読書き装置に対応付けられて前記第１の対応関係情報記憶手段に記憶されている前記表示装置を特定し、特定した前記表示装置に送信された見出し情報に対応付けられて前記第１のコンテンツ記憶手段に記憶されているコンテンツＩＤを、未配信コンテンツＩＤとして、当該未配信コンテンツＩＤの書込み要求を当該コンテンツ配信要求の送信元である前記情報読書き装置に送信し、次に、当該未配信コンテンツＩＤに対応付けられて前記第１のコンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信すること
を特徴とするコンテンツ配信システム。
【請求項２】
請求項１に記載のコンテンツ配信システムであって、
前記表示処理手段は、
前記表示装置に対して前記第１のコンテンツ記憶手段に記憶されている複数のコンテンツの見出し情報を所定の間隔で順番に送信する処理を繰り返し、
前記表示装置は、
表示するコンテンツの見出し情報を、前記コンテンツ配信装置から受信した最新の見出し情報に更新し、
前記第１のコンテンツ配信処理手段は、
受信した前記コンテンツ配信要求に未配信コンテンツＩＤが登録されていない場合に、当該コンテンツ配信要求の送信元である前記情報読書き装置に対応付けられて前記第１の対応関係情報記憶手段に記憶されている前記表示装置を特定し、特定した前記表示装置に対して前記表示処理手段によって送信された最新の見出し情報に対応付けられて前記第１のコンテンツ記憶手段に記憶されているコンテンツＩＤを、未配信コンテンツＩＤとすること
を特徴とするコンテンツ配信システム。
【請求項３】
請求項１又は２に記載のコンテンツ配信システムであって、
前記第１のコンテンツ記憶手段は、
コンテンツＩＤ毎にコンテンツの価格情報も記憶しており、
前記コンテンツ配信要求手段は、
通信可能となった前記無線通信機能付き記憶媒体に記憶されている残高情報を読み出して前記コンテンツ配信要求に含め、
前記第１のコンテンツ配信処理手段は、
受信した前記コンテンツ配信要求に未配信コンテンツＩＤが登録されていない場合に、前記コンテンツ配信要求の送信元である前記情報読書き装置に対応付けられて前記第１の対応関係情報記憶手段に記憶されている前記表示装置へ送信された見出し情報と同じコンテンツＩＤを持つコンテンツの価格情報を、前記第１のコンテンツ記憶手段から検索し、検索した価格情報が示す額が前記コンテンツ配信要求に記憶されている残高情報が示す額以下である場合にのみ、前記未配信コンテンツＩＤの書込み要求、前記コンテンツの書込み要求、および、前記未配信コンテンツＩＤの消去要求を、当該コンテンツ配信要求の送信元である前記情報読書き装置に送信すること
を特徴とするコンテンツ配信システム。
【請求項４】
請求項１乃至３のいずれか一項に記載のコンテンツ配信システムであって、
第２のネットワークを介して前記第１のコンテンツ配信装置に接続された第２のコンテンツ配信装置をさらに有し、
前記第２のコンテンツ配信装置は、
コンテンツＩＤ毎にコンテンツを記憶する第２のコンテンツ記憶手段と、
前記無線通信機能付き記憶媒体とコンテンツ送信先との対応関係を記憶する第２の対応関係情報記憶手段と、
前記第１のコンテンツ配信装置からコンテンツ配信代行依頼を受信した場合に、当該コンテンツ配信代行依頼に従い、コンテンツの送信先に、前記第２のコンテンツ記憶手段に記憶されているコンテンツを送信する第２のコンテンツ配信処理手段と、を有し、
前記第１のコンテンツ記憶手段は、
コンテンツＩＤ毎にコンテンツの容量も記憶しており、
前記コンテンツ配信要求手段は、
通信可能となった前記無線通信機能付き記憶媒体の空き容量および当該無線通信機能付き記憶媒体を識別するための記憶媒体ＩＤを前記コンテンツ配信要求に含め、
前記第１のコンテンツ配信処理手段は、
受信した前記コンテンツ配信要求に記憶されている空き容量が、前記コンテンツの書込み要求の対象となるコンテンツのコンテンツＩＤに対応付けられて前記第１のコンテンツ記憶手段に記憶されている容量より小さい場合に、前記コンテンツの書込み要求に代えて、前記コンテンツの書込み要求の対象となるコンテンツのコンテンツＩＤおよび前記コンテンツ配信要求に含まれている記憶媒体ＩＤを含む前記コンテンツ配信代行依頼を作成し、当該コンテンツ配信代行依頼を前記第２のコンテンツ配信装置に送信し、
前記第２のコンテンツ配信処理手段は、
前記コンテンツ配信代行依頼を受信した場合に、当該コンテンツ配信代行依頼に含まれているコンテンツＩＤに対応付けられて前記第２のコンテンツ記憶手段に記憶されているコンテンツを、当該コンテンツ配信代行依頼に含まれている記憶媒体ＩＤを持つ前記無線通信機能付き記憶媒体に対応付けられて前記第２の対応関係情報記憶手段に記憶されているコンテンツ送信先に送信すること
を特徴とするコンテンツ配信システム。
【請求項５】
請求項４に記載のコンテンツ配信システムであって、
前記第２のコンテンツ配信処理手段は、
前記コンテンツ配信代行依頼を受信した場合に、当該コンテンツ配信代行依頼の送信元である第１のコンテンツ配信装置に応答メッセージを送信し、
前記第１のコンテンツ配信処理手段は、
前記第２のコンテンツ配信装置へ前記コンテンツ配信代行依頼を送信した場合、前記第２のコンテンツ配信装置から前記応答メッセージを受信した場合にのみ、前記未配信コンテンツＩＤの消去要求を、前記コンテンツ配信要求の送信元である前記情報読書き装置に送信すること
を特徴とするコンテンツ配信システム。
【請求項６】
請求項４又は５に記載のコンテンツ配信システムであって、
前記第２の対応関係情報記憶手段に記憶されているコンテンツ送信先は、前記無線通信機能付き記憶媒体が接続された携帯端末であること
を特徴とするコンテンツ配信システム。
【請求項７】
請求項１乃至６のいずれか一項に記載のコンテンツ配信システムであって、
前記無線通信機能付き記憶媒体は、ＩＣタグであること
を特徴とするコンテンツ配信システム。
【請求項８】
短距離無線通信方式を用いて前記無線通信機能付き記憶媒体に情報を読書きする少なくとも１つの情報読書き装置、および、受信したコンテンツの見出し情報を表示する少なくとも１つの表示装置に、ネットワークを介して接続されたコンテンツ配信装置であって、
コンテンツＩＤ毎に、コンテンツとその見出し情報を記憶するコンテンツ記憶手段と、
前記表示装置に前記コンテンツ記憶手段に記憶されているコンテンツの見出し情報を送信する表示処理手段と、
前記情報読書き装置と前記表示装置との対応関係情報を記憶する対応関係情報記憶手段と、
コンテンツ配信要求を受信した場合に、当該コンテンツ配信要求の送信元である前記情報読書き装置に、前記コンテンツ記憶手段に記憶されているコンテンツを送信するコンテンツ配信処理手段と、を有し、
前記コンテンツ配信処理手段は、
受信した前記コンテンツ配信要求に未配信コンテンツＩＤが登録されている場合に、当該未配信コンテンツＩＤに対応付けられて前記コンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信し、
受信した前記コンテンツ配信要求に未配信コンテンツＩＤが登録されていない場合に、当該コンテンツ配信要求の送信元である前記情報読書き装置に対応付けられて前記対応関係情報記憶手段に記憶されている前記表示装置を特定し、特定した前記表示装置に送信された見出し情報に対応付けられて前記コンテンツ記憶手段に記憶されているコンテンツＩＤを、未配信コンテンツＩＤとして、当該未配信コンテンツＩＤの書込み要求を当該コンテンツ配信要求の送信元である前記情報読書き装置に送信し、次に、当該未配信コンテンツＩＤに対応付けられて前記コンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信すること
を特徴とするコンテンツ配信装置。
【請求項９】
コンピュータで読取り可能なプログラムであって、
前記コンピュータは、短距離無線通信方式を用いて前記無線通信機能付き記憶媒体に情報を読書きする少なくとも１つの情報読書き装置、および、受信したコンテンツの見出し情報を表示する少なくとも１つの表示装置に、ネットワークを介して接続されており、
前記コンピュータの記憶装置には、コンテンツＩＤ毎にコンテンツとその見出し情報が記憶されていると共に、前記情報読書き装置と前記表示装置との対応関係情報が記憶されており、
前記プログラムは、
前記表示装置に前記記憶装置に記憶されているコンテンツの見出し情報を送信する表示処理手段、および、
コンテンツ配信要求を受信した場合に、当該コンテンツ配信要求の送信元である前記情報読書き装置に、前記記憶装置に記憶されているコンテンツを送信するコンテンツ配信処理手段として、前記コンピュータを機能させ、
前記コンテンツ配信処理手段は、
受信した前記コンテンツ配信要求に未配信コンテンツＩＤが登録されている場合に、当該未配信コンテンツＩＤに対応付けられて前記記憶装置に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信し、
受信した前記コンテンツ配信要求に未配信コンテンツＩＤが登録されていない場合に、当該コンテンツ配信要求の送信元である前記情報読書き装置に対応付けられて前記記憶装置に記憶されている前記表示装置を特定し、特定した前記表示装置に送信された見出し情報に対応付けられて前記記憶装置に記憶されているコンテンツＩＤを、未配信コンテンツＩＤとして、当該未配信コンテンツＩＤの書込み要求を当該コンテンツ配信要求の送信元である前記情報読書き装置に送信し、次に、当該未配信コンテンツＩＤに対応付けられて前記記憶装置に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信すること
を特徴とするコンピュータで読取り可能なプログラム。
【請求項１０】
ネットワークにより互いに接続された、短距離無線通信方式を用いて無線通信機能付き記憶媒体に情報を読書きする少なくとも１つの情報読書き装置、コンテンツとその見出し情報を保持するコンテンツ配信装置、および、前記コンテンツ配信装置が保持するコンテンツの見出し情報を表示する少なくとも１つの表示装置を有するコンテンツ配信システムが、コンテンツを前記無線機能付き記憶媒体に配信するコンテンツ配信方法であって、
前記コンテンツ配信装置は、コンテンツＩＤ毎にコンテンツとその見出し情報を記憶するコンテンツ記憶手段と、前記情報読書き装置と前記表示装置との対応関係情報を記憶する対応関係情報記憶手段と、を有し、
前記情報読書き装置は、前記コンテンツ配信装置から受信した要求に従い、通信可能な状態にある前記無線通信機能付き記憶媒体に情報を書込む、あるいは、通信可能な状態にある前記無線通信機能付き記憶媒体から情報を消去する読書き手段を有し、
前記コンテンツ配信方法は、
前記コンテンツ配信装置が、前記表示装置に、前記コンテンツ記憶手段に記憶されているコンテンツの見出し情報を送信する表示処理ステップと、
前記情報読書き装置が、前記無線通信機能付き記憶媒体と通信可能になった場合に、コンテンツ配信要求を前記コンテンツ配信装置に送信するコンテンツ配信要求ステップと、
前記コンテンツ配信装置が、前記コンテンツ配信要求を受信した場合に、当該コンテンツ配信要求の送信元である前記情報読書き装置に、前記コンテンツ記憶手段に記憶されているコンテンツを送信するコンテンツ配信処理ステップと、を有し、
前記コンテンツ配信要求ステップは、
通信可能となった前記無線通信機能付き記憶媒体に未配信コンテンツＩＤが記憶されている場合、当該未配信コンテンツＩＤを読み出して前記コンテンツ配信要求に含め、
前記コンテンツ配信処理ステップは、
受信した前記コンテンツ配信要求に未配信コンテンツＩＤが登録されている場合に、当該未配信コンテンツＩＤに対応付けられて前記コンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信し、
受信した前記コンテンツ配信要求に未配信コンテンツＩＤが登録されていない場合に、当該コンテンツ配信要求の送信元である前記情報読書き装置に対応付けられて前記対応関係情報記憶手段に記憶されている前記表示装置を特定し、特定した前記表示装置に送信された見出し情報に対応付けられて前記コンテンツ記憶手段に記憶されているコンテンツＩＤを、未配信コンテンツＩＤとして、当該未配信コンテンツＩＤの書込み要求を当該コンテンツ配信要求の送信元である前記情報読書き装置に送信し、次に、当該未配信コンテンツＩＤに対応付けられて前記コンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信すること
を特徴とするコンテンツ配信方法。
【発明の詳細な説明】
【技術分野】
【０００１】
本発明は、コンテンツ配信技術に関し、特に、列車等の移動体の搭乗者が所持する装置にコンテンツを配信するのに適したコンテンツ配信技術に関する。
【背景技術】
【０００２】
特許文献１には、電子ペーパ等のマルチディスプレイカードに希望のコンテンツＩＤを予め登録しておき、駅構内の改札機を通過する際に、このマルチディスプレイカードに記憶されたコンテンツＩＤを読み出して、当該コンテンツＩＤに対応するコンテンツを、サーバからこのマルチディスプレイカードにダウンロードする技術が開示されている。該技術によれば、ユーザは、改札機を通過する際にマルチディスプレイカードにダウンロードしたコンテンツを表示させて、列車での移動中に該コンテンツを閲覧することができる。
【０００３】
また、特許文献２には、表示装置に表示されるコンテンツに関連するコンテンツ関連情報を、携帯電話などの端末に直接配信する技術が開示されている。該技術では、時間を基準として、ある時間に送出される画像データとコンテンツ関連情報とを示すタイムテーブルに従い、制御装置が表示装置に表示されている画像などのコンテンツと同期をとって、記憶装置からコンテンツ関連情報を読出し、短距離無線通信方式を用いて送信装置から端末へ送信する。
【０００４】
【特許文献１】特開２００４-５５３９号公報
【特許文献２】特開２００３-３３０８２９号公報
【発明の開示】
【発明が解決しようとする課題】
【０００５】
特許文献１に記載の技術は、希望するコンテンツのコンテンツＩＤを予めマルチディスプレイカードに登録しておかなければならない。一方、特許文献２に記載では、表示装置に表示されているコンテンツと同期をとって、当該コンテンツのコンテンツ関連情報を端末へ送信するので、希望するコンテンツのコンテンツＩＤを予め端末に登録しておく必要がない。
【０００６】
しかし、特許文献２に記載の技術を、列車等の移動体の搭乗者が所持する端末へのコンテンツ配信に適用する場合、次の問題が生ずる。すなわち、短距離無線通信方式を用いて送信装置から端末へコンテンツ関連情報をダウンロードしている最中に列車内を移動したりすると、ダウンロードに失敗する場合がある。この場合、特許文献２に記載の技術では、端末のユーザは、希望のコンテンツ関連情報をダウンロードするために、表示装置に当該希望のコンテンツが再度表示されるのを待たなければならない。
【０００７】
本発明は上記事情に鑑みてなされたものであり、本発明の目的は、列車等の移動体の搭乗者が所持する装置にコンテンツを配信するのに適したコンテンツ配信技術を提供することにある。具体的には、ダウンロード（配信）を希望するコンテンツおよびダウンロードに失敗したコンテンツの特定作業を容易にすることにある。
【課題を解決するための手段】
【０００８】
上記課題を解決するために、本発明では、少なくとも１つの表示装置と、短距離無線通信方式を用いて無線通信機能付き記憶媒体に情報を読書きする少なくとも１つの情報読書き装置と、コンテンツＩＤ毎にコンテンツおよびコンテンツの見出し情報を保持するコンテンツ配信装置とを、ネットワークを介して相互接続する。
【０００９】
コンテンツ配信装置は、各表示装置にコンテンツの見出し情報を表示する。また、各情報読書き装置をいずれかの表示装置に対応付けて管理する。さらに、コンテンツ配信装置は、いずれかの情報読書き装置が自身の無線エリアに存在する無線通信機能付き記憶媒体を検出すると、当該記憶媒体に未配信のコンテンツＩＤが登録されているか否かを調べる。登録されているならば、当該読書き装置を用いて、当該未配信のコンテンツＩＤに対応するコンテンツを当該記憶媒体に書込み、その後、当該記憶媒体に記憶されている未配信のコンテンツＩＤを消去する。一方、登録されていないならば、当該読書き装置を用いて、当該読書き装置に対応付けて管理されている表示装置が表示しているコンテンツの見出し情報に対応するコンテンツＩＤを、未配信のコンテンツＩＤとして当該記憶媒体に書込み、それから、当該見出し情報に対応するコンテンツを当該記憶媒体に書き込む。そして、コンテンツの書込みが終了した後に、当該記憶媒体に記憶した未配信のコンテンツＩＤを消去する。
【００１０】
例えば、本発明は、コンテンツを無線機能付き記憶媒体に配信するコンテンツ配信システムであって、
第１のネットワークにより互いに接続された、短距離無線通信方式を用いて前記無線通信機能付き記憶媒体に情報を読書きする少なくとも１つの情報読書き装置、コンテンツとその見出し情報を保持する第１のコンテンツ配信装置、および、前記第１のコンテンツ配信装置が保持するコンテンツの見出し情報を表示する少なくとも１つの表示装置を有し、
前記情報読書き装置は、
前記無線通信機能付き記憶媒体と通信可能になった場合に、コンテンツ配信要求を前記コンテンツ配信装置に送信するコンテンツ配信要求手段と、
前記コンテンツ配信装置から受信した要求に従い、通信可能な状態にある前記無線通信機能付き記憶媒体に情報を書込む、あるいは、通信可能な状態にある前記無線通信機能付き記憶媒体から情報を消去する情報読書き手段と、を有し、
前記第１のコンテンツ配信装置は、
コンテンツＩＤ毎に、コンテンツとその見出し情報を記憶する第１のコンテンツ記憶手段と、
前記表示装置に、前記第１のコンテンツ記憶手段に記憶されているコンテンツの見出し情報を送信する表示処理手段と、
前記情報読書き装置と前記表示装置との対応関係情報を記憶する第１の対応関係情報記憶手段と、
前記コンテンツ配信要求を受信した場合に、当該コンテンツ配信要求の送信元である前記情報読書き装置に、前記第１のコンテンツ記憶手段に記憶されているコンテンツを送信する第１のコンテンツ配信処理手段と、を有し、
前記コンテンツ配信要求手段は、
通信可能となった前記無線通信機能付き記憶媒体に未配信コンテンツＩＤが記憶されている場合、当該未配信コンテンツＩＤを読み出して前記コンテンツ配信要求に含め、
前記第１のコンテンツ配信処理手段は、
受信した前記コンテンツ配信要求に未配信コンテンツＩＤが登録されている場合に、当該未配信コンテンツＩＤに対応付けられて前記第１のコンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信し、
受信した前記コンテンツ配信要求に未配信コンテンツＩＤが登録されていない場合に、当該コンテンツ配信要求の送信元である前記情報読書き装置に対応付けられて前記第１の対応関係情報記憶手段に記憶されている前記表示装置を特定し、特定した前記表示装置に送信された見出し情報に対応付けられて前記第１のコンテンツ記憶手段に記憶されているコンテンツＩＤを、未配信コンテンツＩＤとして、当該未配信コンテンツＩＤの書込み要求を当該コンテンツ配信要求の送信元である前記情報読書き装置に送信し、次に、当該未配信コンテンツＩＤに対応付けられて前記第１のコンテンツ記憶手段に記憶されているコンテンツの書込み要求を、当該コンテンツ配信要求の送信元である前記情報読書き装置に送信し、それから、当該未配信コンテンツＩＤの消去要求を、当該コンテンツ配信要求の送信元である前記情報読書き装置に送信する。
【発明の効果】
【００１１】
本発明によれば、無線通信機能付き記憶媒体が情報読書き装置に接近すると、当該記憶媒体にコンテンツの書込みが開始される。ここで、当該記憶媒体への書込みに失敗したコンテンツがあるならば、この書込みに失敗したコンテンツが書込まれ、そのようなコンテンツがない場合は、当該情報読書き装置に対応付けられた表示装置に見出し情報が表示されているコンテンツが書込まれる。したがって、無線機能付き記録媒体のユーザは、当該記憶媒体をいずれかの情報書込み装置に近づけるだけで、書込みに失敗したコンテンツの再書込みを行うことができる。また、当該記憶媒体を、書込みたいコンテンツの見出し情報を表示している表示装置に対応付けられた情報書込み装置に近づけるだけで、当該コンテンツの書込みを行うことができる。このように、本発明によれば、ダウンロードを希望するコンテンツおよびダウンロードに失敗したコンテンツの特定作業が容易になる。
【発明を実施するための最良の形態】
【００１２】
以下、本発明の実施の形態について説明する。
【００１３】
図１は本発明の一実施形態が適用されたコンテンツ配信システムの概略図である。
【００１４】
本実施形態のコンテンツ配信システムは、列車１０の搭乗者が所持するＩＣタグ（ＲＦＩＤ：Radio Frequency Identification）６および携帯端末５にコンテンツを配信する。図示するように、列車１０のドア付近や中刷り広告等の位置に設置された複数の表示装置１と、列車１０のつり革や手すりや座席の肘掛部、背もたれ上部等の位置に設置された複数の情報読書き装置２と、列車１０の任意の位置に設置されたＩＣタグ用コンテンツ配信装置３と、これらの列車１０内に設置された装置１〜３を相互接続するＬＡＮ４と、を有する。さらに、本実施形態のコンテンツ配信システムは、ＷＡＮ９および無線基地局７を介して、ＩＣタグ用コンテンツ配信装置３および携帯端末５と通信可能に設けられた携帯端末用コンテンツ配信装置８を有する。
【００１５】
表示装置１は、ＬＡＮ４を介してＩＣタグ用コンテンツ配信装置３から送られてきた情報を表示する。図２は表示装置１の概略図である。図示するように、本実施形態の表示装置１は、ＬＡＮ４に接続するためのＬＡＮ-ＩＦ（インターフェース）部１１と、ＬＣＤ等の表示パネル１２と、ＬＡＮ-ＩＦ部１１を介してＩＣタグ用コンテンツ配信装置３から受信したコンテンツの見出し情報を表示パネル１２に表示する表示制御部１３と、を有する。
【００１６】
情報読書き装置２は、ＩＣタグ６に記憶された情報を非接触で読取って、ＬＡＮ４を介してＩＣタグ用コンテンツ配信装置３に送信する。また、ＬＡＮ４を介してＩＣタグ用コンテンツ配信装置３から送られてきた情報を、ＩＣタグ６に非接触で書き込む。図３は情報読書き装置２の概略図である。図示するように、本実施形態の情報読書き装置２は、ＬＡＮ４に接続するためのＬＡＮ-ＩＦ部２１と、無線通信によりＩＣタグ６に情報を読書きするＩＣタグリーダライタ部２２と、ＩＣタグリーダライタ部２２による情報の読書きを制御する読書き制御部２３と、ＩＣタグ６との通信状態や書込み処理の状態を表示する状態表示部２４と、を有する。
【００１７】
図４は情報読書き装置２の概観の一例を示す図である。図４では、情報読書き装置２が列車１０のつり革１０１に設置されている例を示している。ここで、符号２２１は、ＩＣタグリーダライタ部２２のアンテナである。ＩＣタグ６をこのアンテナ２２１に近づけることにより、ＩＣタグリーダライタ部２２がＩＣタグ６と無線通信を開始する。また、符号２４１、２４２は、状態表示部２４を構成する正常表示ＬＥＤ（アクセスランプ）、異常表示ＬＥＤ（エラーランプ）である。読書き制御部２３は、ＩＣタグ６と無線通信中である場合に正常表示ＬＥＤ２４１を点灯する。また、ＩＣタグ６との無線通信が異常切断された場合に異常表示ＬＥＤ２４２を所定時間点灯する。さらに、読書き制御部２３は、ＩＣタグ用コンテンツ配信装置３からエラー通知を受信した場合に、異常表示ＬＥＤ２４２を所定時間点灯する。
【００１８】
図５は情報読書き装置２の動作フローを示す図である。
【００１９】
先ず、ＩＣタグ６よりアクセスされ、ＩＣタグリーダライタ部２２とＩＣタグ６との間に無線通信路が確立すると（Ｓ３０１）、読書き制御部２３は、状態表示部２４のアクセスランプを点灯させる（Ｓ３０２）。また、ＩＣタグ６を識別するためのタグＩＤ、ユーザの残高情報、ＩＣタグ６の空き容量情報、および、ＩＣタグ６に未配信のコンテンツを識別するための未配信コンテンツＩＤが記憶されている場合はこの未配信コンテンツＩＤを、ＩＣタグリーダライタ部２２を介してＩＣタグ６から読出す（Ｓ３０３）。次に、読書き制御部２３は、Ｓ３０３でＩＣタグ６から読み出した情報および自身の情報読書き装置２の読書き装置ＩＤを含むコンテンツ配信要求を作成し、ＬＡＮ-ＩＦ部２１を介してＩＣタグ用コンテンツ配信装置３に送信する（Ｓ３０４）。
【００２０】
さて、読書き制御部２３は、ＩＣタグリーダライタ部２２とＩＣタグ６との間の無線通信路が所定の終了手順を行うことなく異常切断した場合（Ｓ３０５でＹＥＳ）、あるいは、ＬＡＮ-ＩＦ部２１を介してＩＣタグ用コンテンツ配信装置３からエラー通知を受信した場合（Ｓ３０６でＹＥＳ）、状態表示部２４のアクセスランプを消灯させると共に、状態表示部２４のエラーランプを所定時間点灯する（Ｓ３１１）。これにより、コンテンツの書込みが正常に行われなかったことをＩＣタグ６のユーザに通知する。
【００２１】
また、読書き制御部２３は、ＬＡＮ-ＩＦ部２１を介してＩＣタグ用コンテンツ配信装置３から残高書込み要求を受信した場合（Ｓ３０７でＹＥＳ）、ＩＣタグリーダライタ部２２を制御し、ＩＣタグ６に記憶されている残高情報を残高書込み要求に含まれている残高に更新（書換え）する（Ｓ３１２）。
【００２２】
また、読書き制御部２３は、ＬＡＮ-ＩＦ部２１を介してＩＣタグ用コンテンツ配信装置３から未配信コンテンツＩＤ書込み要求を受信した場合（Ｓ３０８でＹＥＳ）、ＩＣタグリーダライタ部２２を制御し、ＩＣタグ６に未配信コンテンツＩＤ書込み要求に含まれている未配信コンテンツＩＤを書込む（Ｓ３１３）。
【００２３】
また、読書き制御部２３は、ＬＡＮ-ＩＦ部２１を介してＩＣタグ用コンテンツ配信装置３からコンテンツ書込み要求を受信した場合（Ｓ３０９でＹＥＳ）、ＩＣタグリーダライタ部２２を制御し、ＩＣタグ６にコンテンツ書込み要求に含まれているコンテンツデータを書き込む（Ｓ３１４）。
【００２４】
さらに、読書き制御部２３は、ＬＡＮ-ＩＦ部２１を介してＩＣタグ用コンテンツ配信装置３から未配信コンテンツＩＤ削除要求を受信した場合（Ｓ３１０でＹＥＳ）、ＩＣタグリーダライタ部２２を制御し、ＩＣタグ６に記憶されている未配信コンテンツＩＤを削除する（Ｓ３１５）。それから、状態表示部２４のアクセスランプを消灯させ（Ｓ３１６）、Ｓ３０１に戻る。
【００２５】
図１に戻って説明を続ける。ＩＣタグ６は、自身に記憶されている情報を情報読書き装置２に非接触で送信すると共に、情報読書き装置２から非接触で受信した情報を記憶する。また、自身に接続されている携帯端末５へ自身に記憶されている情報を送信する。図６はＩＣタグ６の概略図である。図示するように、本実施形態のＩＣタグ６は、情報読書き装置２と非接触で無線通信を行なう無線ＩＦ部６１と、携帯端末５と通信を行なうための端末ＩＦ部６２と、情報を記憶する情報記憶部６４と、情報処理部６３と、を有する。
【００２６】
情報処理部６３は、情報記憶部６４に記憶されている情報を読み出して、無線ＩＤ部６１を介して情報読書き装置２に送信したり、あるいは、端末ＩＦ部６２を介して携帯端末５に送信したりする。また、無線ＩＦ部６１を介して情報読書き装置２から受信した情報を、情報記憶部６４に記憶する。情報記憶部６４には、ＩＣタグ６を識別するためのタグＩＤ、ユーザの残高情報、情報記憶部６４の空き容量情報、コンテンツ配信装置３より配信されたコンテンツのデータ、および、未配信のコンテンツを識別するための未配信コンテンツＩＤ等が記憶される。なお、ＩＣタグ６は、乗車券、定期券、携帯電話、カード、旅行チケット等として機能するものであってもよい。
【００２７】
携帯端末５は、ＩＣタグ６と接続でき、且つ、ＩＣタグ６に記憶されているコンテンツのデータを読み出して記憶し、再生することのできる端末である。携帯端末２には、既存の携帯電話機、ＰＤＡ（Personal Digital Assistant）等を利用することができる。なお、携帯端末５は、ＩＣタグ６を内蔵しているものでもよい。
【００２８】
ＩＣタグ用コンテンツ配信装置３は、表示装置１にコンテンツの見出し情報を表示する。また、情報読書き装置２を介してＩＣタグ６にコンテンツを書き込む。さらに、ＩＣタグ用コンテンツ配信装置３は、携帯用コンテンツ配信装置８に携帯端末５へのコンテンツ配信を依頼する。図７はＩＣタグ用コンテンツ配信装置３の概略図である。図示するように、本実施形態のＩＣタグ用コンテンツ配信装置３は、ＬＡＮ４に接続するためのＬＡＮ-ＩＦ部３１と、表示処理部３２と、コンテンツ配信処理部３３と、コンテンツ記憶部３４と、表示タイミング管理情報記憶部３５と、読書き装置-表示装置対応情報記憶部３６と、無線基地局７およびＷＡＮ９を介して携帯端末用コンテンツ配信装置８と通信を行なうための無線通信部３７と、を有する。
【００２９】
コンテンツ記憶部３４には、コンテンツ毎に、コンテンツデータと、コンテンツの見出しを含むコンテンツ関連情報とが記憶される。図８はコンテンツ記憶部３４の登録内容例を示す図である。図示するように、コンテンツ記憶部３４には、コンテンツ毎にレコード３４０が記憶される。レコード３４０は、コンテンツを識別するためのコンテンツＩＤを登録するフィールド３４０１と、コンテンツのデータ（あるいはその格納先）を登録するフィールド３４０２と、コンテンツを紹介するための見出し情報（あるいはその格納先）を登録するフィールド３４０３と、コンテンツの価格（利用料）を登録するフィールド３４０４と、コンテンツの容量（データサイズ）を登録するフィールド３４０５と、コンテンツの外部配信を許可するか否かを登録するフィールド３４０６と、を有する。ここで、外部配信とは、ＩＣタグ用コンテンツ配信装置３の代わりに携帯端末用コンテンツ配信装置８がコンテンツを配信することを指す。
【００３０】
表示タイミング管理情報記憶部３５には、表示装置１毎に、コンテンツの見出し情報の表示タイムスケジュールを示す表示タイミング管理情報が記憶される。図９は表示タイミング管理情報記憶部３５の登録内容例を示す図である。図示するように、表示タイミング管理情報記憶部３５には、表示装置１毎にレコード３５０が記憶される。レコード３５０は、表示装置１を識別するための表示装置ＩＤ（アドレス）を登録するフィールド３５０１と、コンテンツの見出し情報の表示切換時間を登録するフィールド３５０２と、コンテンツの見出し情報の表示順番を登録するフィールド３５０３と、現在表示中の見出し情報に対応するコンテンツのコンテンツＩＤを登録するフィールド３５０４と、を有する。ここで、フィールド３５０３には、コンテンツの見出し情報の表示順番に従って複数のコンテンツＩＤが記述される。
【００３１】
読書き装置-表示装置対応情報記憶部３６には、情報読書き装置２毎に、当該読書き装置２に対応付ける表示装置１の情報が記憶される。図１０は読書き装置-表示装置対応情報記憶部３６の登録内容例を示す図である。図示するように、読書き装置-表示装置対応情報記憶部３６には、情報読書き装置２毎にレコード３６０が記憶される。レコード３６０は、情報読書き装置２を識別するための読書き装置ＩＤを登録するフィールド３６０１と、表示装置１を識別するための表示装置ＩＤ（アドレス）を登録するフィールド３６０２と、を有する。フィールド３６０２には、フィールド３６０１に登録された読書き装置ＩＤを持つ情報読書き装置２のユーザが視認することができる位置に配置された表示装置１（例えば同じ列車１０の車両に設置された表示装置１）の表示装置ＩＤが登録される。
【００３２】
表示処理部３２は、表示タイミング管理情報記憶部３５に記憶されている表示タイミング管理情報に従い、各表示装置１にコンテンツ記憶部３４に記憶されているコンテンツの見出し情報を表示する。図１１はＩＣタグ用コンテンツ配信装置３の表示処理部３２の動作フローを説明するための図である。
【００３３】
先ず、表示処理部３２は、表示タイミング管理情報記憶部３５から抽出するレコード３５０を特定する番号ｎを１に設定する。また、ｎ番目のレコード３５０のフィールド３５０３から抽出するコンテンツＩＤを特定する番号Ｄｎ（例えばｎ＝１の場合は番号Ｄ１）を１に設定する（Ｓ１０１）。
【００３４】
次に、表示処理部３２は、表示タイミング管理情報記憶部３５からｎ番目のレコード３５０を抽出する（Ｓ１０２）。そして、ｎ番目のレコード３５０のフィールド３５０３からＤｎ番目のコンテンツＩＤを抽出する（Ｓ１０３）。
【００３５】
それから、表示処理部３２は、コンテンツ記憶部３４からＤｎ番目のコンテンツＩＤを持つレコード３４０を抽出し（Ｓ１０４）、このレコード３４０のフィールド３４０３に登録されている見出し情報を、ＬＡＮ-ＩＦ部３１を介して、Ｓ１０２で抽出したｎ番目のレコード３５０のフィールド３５０１に登録されている表示装置ＩＤにより特定される表示装置１へ送信する（Ｓ１０５）。これにより、表示装置１は、表示パネル１２の表示内容を、ＩＣタグ用コンテンツ配信装置３より受信した最新の見出し情報に変更する。
【００３６】
次に、表示処理部３２は、Ｓ１０２で抽出したｎ番目のレコード３５０のフィールド３５０４に登録されている表示中のコンテンツＩＤを、Ｓ１０３で抽出したＤｎ番目のコンテンツＩＤに更新する（Ｓ１０６）。また、表示処理部３２は、Ｓ１０２で抽出したｎ番目のレコード３５０に対するタイマＴｎ（例えばｎ＝１の場合はタイマＴ１）を設定する。また、このタイマＴｎに対するしきい値Ｓｎ（例えばｎ＝１の場合はしきい値Ｓ１）に、このｎ番目のレコード３５０のフィールド３５２１に登録されている表示切換時間を設定する（Ｓ１０７）。それからタイマＴｎの計測を開始する（Ｓ１０８）。
【００３７】
さて、表示処理部３２は、Ｓ１０２での処理により、表示タイミング管理情報記憶部３５に登録されている全てのレコード３５０を抽出したか否かを判断する。全てのレコード３５０を抽出しているならば（Ｓ１０９でＹＥＳ）、Ｓ１１２に進む。一方、抽出していないならば（Ｓ１０９でＮＯ）、番号ｎを１つインクメントすると共に（Ｓ１１０）、この新たなｎ番目のレコード３５０のフィールド３５０３から抽出するコンテンツＩＤを特定する番号Ｄｎを１に設定し（Ｓ１１１）、Ｓ１０２に戻る。
【００３８】
Ｓ１１２において、表示処理部３２は、表示タイミング管理情報記憶部３５に登録されている全てのレコード３５０のそれぞれに対して設けられたタイマＴｎのうち、計測値が対応するしきい値Ｓｎに到達したタイマＴｎを検出する。そのようなタイマＴｎがあるならば（Ｓ１１２でＹＥＳ）、このタイマＴｎに対応するｎ番目のレコード３５０（例えば検出したタイマがＴ１の場合はｎ＝１番目のレコード３５０）を表示タイミング管理情報記憶部３５から抽出する（Ｓ１１３）。
【００３９】
次に、表示処理部３２は、ｎ番目のレコード３５０のフィールド３５０３から抽出するコンテンツＩＤを特定する番号Ｄｎが、当該フィールド３５０３に登録されているコンテンツＩＤの数と一致するか否か、つまり、番号Ｄｎが表示順番の最後を示しているか否かを調べる。最後ならば（Ｓ１１４でＹＥＳ）、番号Ｄｎをリセットして１に戻す（Ｓ１１５）。一方、最後でないならば（Ｓ１１４でＮＯ）、番号Ｄｎを１つインクリメントする（Ｓ１１６）。
【００４０】
次に、表示処理部３２は、ｎ番目のレコード３５０のフィールド３５０３からＤｎ番目のコンテンツＩＤを抽出する（Ｓ１１７）。それから、表示処理部３２は、コンテンツ記憶部３４からＤｎ番目のコンテンツＩＤを持つレコード３４０を抽出し（Ｓ１１８）、このレコード３４０のフィールド３４０３に登録されている見出し情報を、ＬＡＮ-ＩＦ部３１を介して、Ｓ１１３で抽出したｎ番目のレコード３５０のフィールド３５０１に登録されている表示装置ＩＤにより特定される表示装置１へ送信する（Ｓ１１９）。これにより、表示装置１は、表示パネル１２の表示内容を、ＩＣタグ用コンテンツ配信装置３より受信した最新の見出し情報に変更する。
【００４１】
次に、表示処理部３２は、Ｓ１１３で抽出したｎ番目のレコード３５０のフィールド３５０４に登録されている表示中のコンテンツＩＤを、Ｓ１１７で抽出したＤｎ番目のコンテンツＩＤに更新する（Ｓ１２０）。また、表示処理部３２は、Ｓ１１３で抽出したｎ番目のレコード３５０に対するタイマＴｎをリセットして計測を開始する（Ｓ１２１）。その後、Ｓ１１２に戻る。
【００４２】
以上の処理により、各表示装置１には、表示タイミング管理情報記憶部３５に記憶されている当該表示装置１に対応するレコード３５０に従い、複数のコンテンツの見出し情報が順番に切り替わって表示される。
【００４３】
図６に戻って説明を続ける。コンテンツ配信処理部３３は、情報読書き装置２を介してＩＣタグ６に、当該情報読書き装置２に対応付けられた表示装置１に見出し情報が表示されているコンテンツを書き込む。ＩＣタグ６の空き容量不足により、当該コンテンツをＩＣタグ６に書き込めない場合は、携帯端末用コンテンツ配信装置８に、当該コンテンツの携帯端末５への配信を依頼する。図１２はＩＣタグ用コンテンツ配信装置３のコンテンツ配信処理部３３の動作フローを説明するための図である。
【００４４】
先ず、コンテンツ配信処理部３３は、ＬＡＮ-ＩＦ部３１を介していずれかの情報読書き装置２よりコンテンツ配信要求を受信すると（Ｓ２０１でＹＥＳ）、このコンテンツ配信要求に未配信コンテンツＩＤが含まれているか否かを調べる。含まれている場合（Ｓ２０２でＹＥＳ）はＳ２０３に進み、含まれていない場合（Ｓ２０２でＮＯ）はＳ２０７に進む。
【００４５】
Ｓ２０３において、コンテンツ配信処理部３３は、コンテンツ配信要求に含まれている未配信コンテンツＩＤを持つレコード３４０をコンテンツ記憶部３４から検索し、検索したレコード３４０のフィールド３４０２に登録されているコンテンツデータを配信対象コンテンツとして特定する。そして、このレコード３４０のフィールド３４０５に登録されている配信対象コンテンツの容量がコンテンツ配信要求に含まれているＩＣタグ６の空き容量以下であるか否かを調べる。配信対象コンテンツの容量がＩＣタグ６の空き容量以下の場合（Ｓ２０４でＹＥＳ）は、Ｓ２１４に進む。一方、配信対象コンテンツの容量がＩＣタグ６の空き容量より大きい場合（Ｓ２０４でＮＯ）は、検索したレコード３４０のフィールド３４０６に登録されている外部配信可否を調べる。そして、外部配信が許可されていない場合（Ｓ２０５でＮＯ）は、コンテンツ配信要求の送信元にエラーメッセージを通知するなどのエラー処理を行う（Ｓ２１８）。その後、Ｓ２０１に戻って新たなコンテンツ配信要求を待つ。外部配信が許可されている場合（Ｓ２０５でＹＥＳ）は、外部送信フラグを設定し（Ｓ２０６）、それからＳ２１４に進む。
【００４６】
Ｓ２０７において、コンテンツ配信処理部３３は、読書き装置-表示装置ＩＤ対応情報記憶部３６を用いて、コンテンツ配信要求の送信元である情報読書き装置２の読書き装置ＩＤに対応付けられている表示装置ＩＤを特定する。また、特定した表示装置ＩＤを持つレコード３５０を表示タイミング管理情報記憶部３５から検索し、このレコード３５０のフィールド３５０４に登録されているコンテンツＩＤ（特定した表示装置ＩＤを持つ表示装置１に現在表示中の見出し情報に対応するコンテンツＩＤ）を入手する。そして、入手したコンテンツＩＤを持つレコード３４０をコンテンツ記憶部３４から検索し、検索したレコード３４０のフィールド３４０２に登録されているコンテンツデータを配信対象コンテンツとして特定する。次に、コンテンツ配信処理部３３は、このレコード３４０のフィールド３４０４に登録されている配信対象コンテンツの価格がコンテンツ配信要求に含まれている残高以下であるか否かを調べる。配信対象コンテンツの価格が残高より高い場合（Ｓ２０８でＮＯ）は、コンテンツ配信要求の送信元にエラーメッセージを通知するなどのエラー処理を行う（Ｓ２１８）。その後、Ｓ２０１に戻って新たなコンテンツ配信要求を待つ。
【００４７】
一方、配信対象コンテンツの価格が残高以下の場合（Ｓ２０８でＹＥＳ）は、このレコード３４０のフィールド３４０５に登録されている配信対象コンテンツの容量がコンテンツ配信要求に含まれているＩＣタグ６の空き容量以下であるか否かをさらに調べる。配信対象コンテンツの容量がＩＣタグ６の空き容量以下の場合（Ｓ２０９でＹＥＳ）は、Ｓ２１２に進む。一方、配信対象コンテンツの容量がＩＣタグ６の空き容量より大きい場合（Ｓ２０９でＮＯ）は、検索したレコード３４０のフィールド３４０６に登録されている外部配信可否を調べる。そして、外部配信が許可されていない場合（Ｓ２１０でＮＯ）は、コンテンツ配信要求の送信元にエラーメッセージを通知するなどのエラー処理を行う（Ｓ２１８）。その後、Ｓ２０１に戻って新たなコンテンツ配信要求を待つ。外部配信が許可されている場合（Ｓ２１０でＹＥＳ）は、外部送信フラグを設定し（Ｓ２１１）、その後、Ｓ２１２に進む。
【００４８】
Ｓ２１２において、コンテンツ配信処理部３３は、課金処理を行う。具体的には、コンテンツ配信要求に含まれている残高から配信対象コンテンツの価格を減算する。そして、減算結果を新たな残高とする残高書込み要求を作成し、これをＬＡＮ-ＩＦ部３１を介してコンテンツ配信要求の送信元に送信する。次に、コンテンツ配信処理部３３は、配信対象コンテンツのコンテンツＩＤを未配信コンテンツＩＤとする未配信コンテンツＩＤ書込み要求を作成し、これをＬＡＮ-ＩＦ部３１を介してコンテンツ配信要求の送信元に送信する（Ｓ２１３）。それからＳ２１４に進む。
【００４９】
Ｓ２１４において、コンテンツ配信処理部３３は、外部送信フラグが設定されているならば（Ｓ２１４でＹＥＳ）、配信対象コンテンツの配信を携帯端末用コンテンツ配信装置８に依頼する（Ｓ２１６）。その後、Ｓ２１７に進む。一方、外部送信フラグが設定されてないならば（Ｓ２１４でＮＯ）、配信対象コンテンツを含むコンテンツ書込み要求を作成し、ＬＡＮ-ＩＦ部３１を介してコンテンツ配信要求の送信元に送信する（Ｓ２１５）。その後、Ｓ２１７に進む。
【００５０】
Ｓ２１７において、コンテンツ配信処理部３３は、未配信コンテンツＩＤ削除要求を作成し、これをＬＡＮ-ＩＦ部３１を介してコンテンツ配信要求の送信元に送信する。その後、Ｓ２０１に戻って新たなコンテンツ配信要求を待つ。
【００５１】
図１３は図１２のＳ２１６に示すコンテンツ配信代行依頼処理を説明するためのフロー図である。先ず、コンテンツ配信処理部３３は、配信対象コンテンツのコンテンツＩＤおよびコンテンツ配信要求に含まれているタグＩＤ（ＩＣタグ６を識別するためのＩＤ）を含むコンテンツ配信代行依頼を作成する（Ｓ２１６１）。次に、作成したコンテンツ配信代行依頼を、無線通信部３７から、無線基地局７およびＷＡＮ９を介して、携帯端末用コンテンツ配信装置８に送信する（Ｓ２１６２）。次に、コンテンツ配信処理部３３は、無線通信部３７を介して携帯端末用コンテンツ配信装置８からコンテンツ配信代行依頼に対する応答があったか否かを確認し、応答があれば（Ｓ２１６３でＹＥＳ）終了する。応答がなければ（Ｓ２１６３でＮＯ）、所定時間を経過するまで応答を待ち（Ｓ２１６４）、タイムアウトになれば、Ｓ２１６２に戻って処理を続ける。以上の処理により、課金されたコンテンツが必ずユーザに届くようにする。
【００５２】
図１に戻って説明を続ける。携帯端末用コンテンツ配信装置８は、ＩＣタグ用コンテンツ配信装置３からの指示に従い、コンテンツを携帯端末５へ送信する。図１４は携帯端末用コンテンツ配信装置８の概略図である。図示するように、本実施形態の携帯端末用コンテンツ配信装置８は、ＷＡＮ９に接続するためのＷＡＮ-ＩＦ部８１と、コンテンツ配信処理部８２と、コンテンツ記憶部８３と、ＩＣタグ-送信先対応情報記憶部３４と、を有する。
【００５３】
コンテンツ記憶部８３には、コンテンツ毎に、コンテンツデータが記憶される。図１５はコンテンツ記憶部８３の登録内容例を示す図である。図示するように、コンテンツ記憶部８３には、コンテンツ毎にレコード８３０が記憶される。レコード８３０は、コンテンツを識別するためのコンテンツＩＤを登録するフィールド８３０１と、コンテンツのデータ（あるいはその格納先）を登録するフィールド８３０３と、を有する。
【００５４】
ＩＣタグ-送信先対応情報記憶部８４には、ＩＣタグ６毎に、ＩＣタグ６のユーザのコンテンツ送信先情報が記憶される。図１６はＩＣタグ-送信先対応情報記憶部８４の登録内容例を示す図である。図示するように、ＩＣタグ-送信先対応情報記憶部８４には、ＩＣタグ６毎にレコード８４０が記憶される。レコード８４０は、ＩＣタグ６を識別するためのタグＩＤを登録するフィールド８４０１と、空き容量不足によりＩＣタグ６にコンテンツを書き込めなかった場合における当該コンテンツの送信先（例えばＩＣタグ６が接続された携帯端末５のメールアドレス）を登録するフィールド８４０２と、を有する。
【００５５】
コンテンツ配信処理部８２は、ＩＣタグ用コンテンツ配信装置３から受信したコンテンツ配信代行依頼に従い、コンテンツを携帯端末５等へ送信する。図１７は携帯端末用コンテンツ配信装置８のコンテンツ配信処理部８２の動作フローを説明するための図である。
【００５６】
先ず、コンテンツ配信処理部８２は、ＷＡＮ-ＩＦ部８１を介してＩＣタグ用コンテンツ配信装置３からコンテンツ配信代行依頼を受信すると（Ｓ４０１でＹＥＳ）、このコンテンツ配信代行依頼に含まれているコンテンツＩＤを持つレコード８３０をコンテンツ記憶部８３から検索し、検索したレコード８３０のフィールド８３０２に登録されているコンテンツデータを配信対象コンテンツとして特定する（Ｓ４０２）。また、コンテンツ配信処理部８２は、このコンテンツ配信代行依頼に含まれているタグＩＤを持つレコード８４０をタグＩＤ-送信先対応情報記憶部８４から検索し、検索したレコード８４０のフィールド８４０２に登録されているアドレスをコンテンツデータの送信先として特定する（Ｓ４０３）。それから、コンテンツ配信処理部８２は、Ｓ４０２で特定した配信対象コンテンツを、Ｓ４０３で特定した送信先へＷＡＮ-ＩＦ部８１から送信する（Ｓ４０４）。これにより、例えば空き容量不足によりＩＣタグ６に書き込めなかったコンテンツが、当該ＩＣタグ６が接続された携帯端末５へ送信され、その後、携帯端末５から出力される。
【００５７】
さて、コンテンツ配信処理部８２は、コンテンツの送信が完了したならば（Ｓ４０５でＹＥＳ）、ＷＡＮ-ＩＦ部８１を介して、コンテンツ配信代行依頼の送信元へ応答メッセージを送信する（Ｓ４０６）。
【００５８】
上記構成のＩＣタグ用コンテンツ配信装置３や携帯端末用コンテンツ配信装置８は、例えば図１８に示すような、ＣＰＵ９０１と、メモリ９０２と、ＨＤＤ等の外部記憶装置９０３と、ＣＤ-ＲＯＭやＤＶＤ-ＲＯＭやＩＣカードなどの記憶媒体からデータを読み取る読取装置９０４と、キーボードやマウスなどの入力装置９０６と、モニタやプリンタなどの出力装置９０７と、ネットワーク（ＷＡＮ９あるいはＷＡＮ９およびＬＡＮ４）に接続するための通信装置９０８と、これらの各装置を接続するバス９０９と、を備えた一般的なコンピュータシステムにおいて、ＣＰＵ９０１がメモリ９０２上にロードされたプログラムを実行することで実現できる。このプログラムは、読取装置９０４を介して記憶媒体から、あるいは、通信装置９０８を介してネットワークから、外部記憶装置９０３にダウンロードされ、それから、メモリ９０２上にロードされてＣＰＵ９０１により実行されるようにしてもよい。あるいは、外部記憶装置９０３を経由せずに、メモリ９０２上に直接ロードされ、ＣＰＵ９０１により実行されるようにしてもよい。なお、この場合において、各記憶部にはメモリ９０２や外部記憶装置９０３が利用される。
【００５９】
次に、以上説明した本実施形態のコンテンツ配信システムの概略動作を説明する。
【００６０】
まず、ＩＣタグ６に配信対象コンテンツを書き込める場合の動作を説明する。図１８はＩＣタグ６に配信対象コンテンツを書き込める場合のコンテンツ配信システムの概略動作を説明するためのフロー図である。
【００６１】
図１８において、表示装置１は、ＩＣタグ用コンテンツ配信装置３よりの指示に従い、複数のコンテンツの見出し情報を順番に繰り返し表示している（Ｓ５０１）。列車１０の乗客であるユーザは、表示装置１に見出し情報が表示されているコンテンツを購入する場合、自身のＩＣタグ６を近くにある情報読書き装置２に近づける。情報読書き装置２は、ＩＣタグ６を検出すると、タグＩＤ６からタグＩＤおよび課金情報（未配信コンテンツＩＤがＩＣタグ６に記憶されている場合はこれも含む）を読み出す（Ｓ５０２）。そして、これらの情報および自身の読書き装置ＩＤを含むコンテンツ配信要求を作成し、ＩＣタグ用コンテンツ配信装置３に送信する（Ｓ５０３）。
【００６２】
ＩＣタグ用コンテンツ配信装置３は、コンテンツ配信要求を受信すると、コンテンツ配信要求の送信元の情報読書き装置２に対応付けられている表示装置１に表示中の見出し情報に対応するコンテンツを配信対象コンテンツに特定する。そして、コンテンツ配信要求に含まれている残高情報から配信対象コンテンツの価格を差し引き、新たな残高情報の書込み要求をコンテンツ配信要求の送信元の情報読書き装置２に送信する（Ｓ５０４）。情報読書き装置２は、残高書込み要求を受信すると、ＩＣタグ６に登録されている残高情報をこの残高書込み要求に含まれている残高情報に更新する（Ｓ５０５）。
【００６３】
また、ＩＣタグ用コンテンツ配信装置３は、配信対象コンテンツのコンテンツＩＤを未配信コンテンツＩＤとする未配信コンテンツＩＤ書込み要求をコンテンツ配信要求の送信元の情報読書き装置２に送信する（Ｓ５０６）。情報読書き装置２は、未配信コンテンツＩＤ書込み要求を受信すると、ＩＣタグ６にこの未配信コンテンツ書込み要求に含まれている未配信コンテンツＩＤを登録する（Ｓ５０７）。
【００６４】
なお、コンテンツ配信要求に未配信コンテンツＩＤが含まれている場合、ＩＣタグ用コンテンツ配信装置３は、このコンテンツＩＤに対応するコンテンツを配信対象コンテンツに特定する。この場合、上記のＳ５０４〜Ｓ５０７の処理は行われない。
【００６５】
次に、ＩＣタグ用コンテンツ配信装置３は、配信対象コンテンツの書込み要求をコンテンツ配信要求の送信元の情報読書き装置２に送信する（Ｓ５０８）。情報読書き装置２は、コンテンツ書込み要求を受信すると、ＩＣタグ６にこのコンテンツ書込み要求に含まれているコンテンツデータを書き込む（Ｓ５０９）。ＩＣタグ６は、情報読書き装置２により書き込まれたコンテンツデータを携帯端末５に出力する（Ｓ５１０）。これにより、ＩＣタグ６のユーザは、携帯端末５を用いて、ＩＣタグ６に書き込まれたコンテンツを楽しむことができる。
【００６６】
最後に、ＩＣタグ用コンテンツ配信装置３は、未配信コンテンツＩＤ削除要求をコンテンツ配信要求の送信元の情報読書き装置２に送信する（Ｓ５１１）。情報読書き装置２は、未配信コンテンツ削除要求を受信すると、ＩＣタグ６に登録されている未配信コンテンツＩＤを削除する（Ｓ５１２）。これにより、ＩＣタグ用コンテンツ配信装置３からＩＣタグ６へのコンテンツの配信が完了する。
【００６７】
次に、空き容量不足によりＩＣタグ６に配信対象コンテンツを書き込めない場合の動作を説明する。図１９はＩＣタグ６の空き容量不足により配信対象コンテンツを書き込めない場合のコンテンツ配信システムの概略動作を示するフロー図である。
【００６８】
図示するように、ＩＣタグ６の空き容量不足により配信対象コンテンツを書き込めない場合、図１８に示すＳ５０８〜Ｓ５１０に代えてＳ６０１〜Ｓ６０３が行われる。その他のステップＳ５０１〜Ｓ５０７、Ｓ５１１〜Ｓ５１２は、図１８に示すものと同じである。
【００６９】
Ｓ６０１において、ＩＣタグ用コンテンツ配信装置３は、配信対象コンテンツのコンテンツＩＤおよびコンテンツ配信要求に含まれているタグＩＤを有するコンテンツ配信代行依頼を作成し、これを携帯端末用コンテンツ配信装置８に送信する（Ｓ６０１）。携帯端末用コンテンツ配信装置８は、コンテンツ配信代行依頼を受信すると、このコンテンツ配信代行依頼に含まれているコンテンツＩＤを持つコンテンツデータを、このコンテンツ配信代行依頼に含まれているタグＩＤにより特定される送信先である携帯端末５へ送信する（Ｓ６０２）。その後、応答メッセージを、コンテンツ配信代行依頼の送信元であるＩＣタグ用コンテンツ配信装置３に送信する（Ｓ６０３）。これにより、ＩＣタグ６のユーザは、携帯端末５を用いて携帯端末用コンテンツ配信装置８から受信したコンテンツを楽しむことができる。
【００７０】
以上、本実施形態の一実施形態について説明した。
【００７１】
本実施形態によれば、ＩＣタグ６が情報読書き装置２に接近すると、ＩＣタグ６にコンテンツの書込みが開始される。ここで、ＩＣタグ６への書込みに失敗したコンテンツがあるならば、この書込みに失敗したコンテンツが書込まれ、そのようなコンテンツがない場合は、当該情報読書き装置２に対応付けられた表示装置１に見出し情報が表示されているコンテンツが書込まれる。したがって、ＩＣタグ６のユーザは、ＩＣタグ６をいずれかの情報書込み装置２に近づけるだけで、書込みに失敗したコンテンツの再書込みを行うことができる。また、書込みたいコンテンツの見出し情報を表示している表示装置１に対応付けられた情報書込み装置２に近づけるだけで、当該コンテンツの書込みを行うことができる。このように、本実施形態によれば、ダウンロードを希望するコンテンツおよびダウンロードに失敗したコンテンツの特定作業が容易になる。
【００７２】
また、本実施形態によれば、列車１０内の表示装置１に表示されたコンテンツで興味あるものがあれば、乗客が持つＩＣタグ６を情報読書き装置２にか近づけるだけで課金が行われ、コンテンツを取得、閲覧することができる。例えば、表示装置１に表示される表示見出し情報が週刊誌の記事見出しである場合、週刊誌を買わなくても列車１０内で週刊誌の記事を見ることができる。また、週刊誌の中の１つの詳細記事を見るために１冊買う必要はなく、見たい記事だけ購入することもできる。したがって、列車１０による移動時間を有効に使うことができる。
【００７３】
また、本実施形態によれば、例えば表示装置１に表示される見出し情報が最新の音楽ヒットチャートやカラオケランキングである場合、ＣＤショップでＣＤを買わなくても、列車１０内で音楽を購入し、聴くことができる。通勤、通学で早朝、夜遅い時間であっても音楽を購入することができるため、列車１０による移動時間を有効に使うことができる。
【００７４】
また、本実施形態によれば、例えば表示装置１に表示される見出し情報がＣＤショップの売れ筋ランキングである場合、ＣＤショップに行く前に音楽の試聴をすることができる。列車１０による移動中に音楽の試聴を行うことで、列車１０の降車後に、ＣＤを買いに行くことができ、ＣＤショップで試聴をするために並ぶことや、試聴できない音楽で購入するかどうかを迷うこともない。列車１０による移動時間を有効に使うことができる。
【００７５】
また、本実施形態によれば、例えば表示装置１に表示される見出し情報がゲームや目覚ましアプリケーション等の列車内での有用なソフトウェアの案内である場合、列車１０内でこれらのソフトウエアを購入して利用することができる。列車１０による移動中にゲームを楽しめ、目覚ましアプリケーションを使うことで降車駅まで寝ることができる。このため、列車１０による移動時間を有効に使うことができる。
【００７６】
また、本実施形態によれば、例えば表示装置１に表示される見出し情報が音楽のプロモーションビデオ紹介やテレビ番組紹介である場合、興味ある映像を購入、閲覧することができ、したがって、列車１０による移動中の時間を有効に使うことができる。
【００７７】
また、本実施形態によれば、例えば表示装置１に表示される見出し情報が各駅前にあるタクシー乗り場のタクシー待ち行列映像案内である場合、乗客の降車駅付近の数駅分のタクシー待ち行列静止画を購入、閲覧することで、降車駅の判断材料となり、タクシー待ち行列の少ない駅で降車することで早く家に帰ることができる。このため、列車１０による移動時間を有効に使うことができる。
【００７８】
また、本実施形態によれば、例えば表示装置１に表示される見出し情報が各駅の乗り継ぎ情報である場合、乗客の乗り継ぎ駅の詳細情報を購入、閲覧することで、乗客に必要な情報をきめ細かく伝えることができ、駅の利便性が向上する。
【００７９】
なお、本発明は上記の実施形態に限定されるものではなく、その要旨の範囲内で数々の変形が可能である。
【００８０】
例えば、本実施形態では、ＩＣタグ６と情報読書き装置２との通信状態や、ＩＣタグ用コンテンツ配信装置３より受信したエラー通知を表示する状態表示部２４を、情報読書き装置２に設けている。しかし、これはＩＣタグ６に設けてもよい。この場合、情報読書き装置２にＩＤタグ用コンテンツ配信装置３から受信したエラー通知をＩＣタグに転送させるようにする。ＩＣタグ６において、情報処理部６３は、情報読書き装置２との間に無線通信路が確立するとアクセスランプを点灯し、該通信路が切断するとアクセスランプを消灯する。また、無線通信路が異常切断した場合や、情報読書き装置２からエラー通知を受信した場合に、エラーランプを所定時間点灯する。このように、ＩＣタグ６に状態表示部を設けることで、ＩＣタグ６のユーザが正常終了、異常発生に関する情報を手元で確認できるため、ＩＣタグ６の利便性が向上する。
【００８１】
また、上記の実施形態では、ＩＣタグ用コンテンツ配信装置３のコンテンツを情報読書き装置２からＩＣタグ６に無線送信するようにしているが、本発明はこれに限定されない。本発明は、ＩｒＤＡやＢｌｕｅｔｏｏｔｈ（登録商法）などの短距離無線通信を利用して、非接触で情報を読書きする無線機能付き記憶媒体に広く適用できる。
【００８２】
また、上記の実施形態では、ＩＣタグ６の空き容量が不足している場合にのみ、コンテンツを携帯端末用コンテンツ配信装置３からＩＣタグ６のユーザの携帯端末５に送信しているが、本発明はこれに限定されない。コンテンツ以外の情報のみを情報読書き装置２でＩＣタグ６に書き込むようにし、コンテンツは常に携帯端末用コンテンツ配信装置３からＩＣタグ６のユーザの携帯端末５に送信するようにしてもよい。このようにすることで、ＩＣタグ用コンテンツ配信装置３にコンテンツに保持させる必要がなくなる。
【図面の簡単な説明】
【００８３】
【図１】図１は本発明の一実施形態が適用されたコンテンツ配信システムの概略図である。
【図２】図２は表示装置１の概略図である。
【図３】図３は情報読書き装置２の概略図である。
【図４】図４は情報読書き装置２の概観の一例を示す図である。
【図５】図５は情報読書き装置２の動作フローを示す図である。
【図６】図６はＩＣタグ６の概略図である。
【図７】図７はＩＣタグ用コンテンツ配信装置３の概略図である。
【図８】図８はコンテンツ記憶部３４の登録内容例を示す図である。
【図９】図９は表示タイミング管理情報記憶部３５の登録内容例を示す図である。
【図１０】図１０は読書き装置-表示装置対応情報記憶部３６の登録内容例を示す図である。
【図１１】図１１はＩＣタグ用コンテンツ配信装置３の表示処理部３２の動作フローを説明するための図である。
【図１２】図１２はＩＣタグ用コンテンツ配信装置３のコンテンツ配信処理部３３の動作フローを説明するための図である。
【図１３】図１３は図１２のＳ２１６に示すコンテンツ配信代行依頼処理を説明するためのフロー図である。
【図１４】図１４は携帯端末用コンテンツ配信装置８の概略図である。
【図１５】図１５はコンテンツ記憶部８３の登録内容例を示す図である。
【図１６】図１６はＩＣタグ-送信先対応情報記憶部８４の登録内容例を示す図である。
【図１７】図１７は携帯端末用コンテンツ配信装置８のコンテンツ配信処理部８２の動作フローを説明するための図である。
【図１８】図１８はＩＣタグ用コンテンツ配信装置３や携帯端末用コンテンツ配信装置８のハードウエア構成例を示す図である。
【図１９】図１９はＩＣタグ６に配信対象コンテンツを書き込める場合のコンテンツ配信システムの概略動作を説明するためのフロー図である。
【図２０】図２０はＩＣタグ６の空き容量不足により配信対象コンテンツを書き込めない場合のコンテンツ配信システムの概略動作を示するフロー図である。
【符号の説明】
【００８４】
１…表示装置、２…情報読書き装置、３…ＩＣタグ用コンテンツ配信装置、４…ＬＡＮ、５…携帯端末、６…ＩＣタグ、７…無線基地局、８…携帯端末用コンテンツ配信装置、９…ＷＡＮ、１１…ＬＡＮ-ＩＦ部、１２…表示パネル、１３…表示制御部、２１…ＬＡＮ-ＩＦ部、２２…ＩＣタグリーダライタ部、２３…読書き制御部、２４…状態表示部、３１…ＬＡＮ-ＩＦ部、３２…表示処理部、３３…コンテンツ配信処理部、３４…コンテンツ記憶部、３５…表示タイミング管理情報記憶部、３６…読書き装置-表示装置対応情報記憶部、６１…無線ＩＦ部ト、６２…端末ＩＦ部、６３…情報処理部、６４…情報記憶部、８１…ＷＡＮ-ＩＦ部、８２…コンテンツ配信処理部、８３…コンテンツ記憶部、８４…ＩＣタグ-送信先対応情報記憶部
【図１】
2006139705.tif 000003
【図２】
2006139705.tif 000004
【図３】
2006139705.tif 000005
【図４】
2006139705.tif 000006
【図５】
2006139705.tif 000007
【図６】
2006139705.tif 000008
【図７】
2006139705.tif 000009
【図８】
2006139705.tif 000010
【図９】
2006139705.tif 000011
【図１０】
2006139705.tif 000012
【図１１】
2006139705.tif 000013
【図１２】
2006139705.tif 000014
【図１３】
2006139705.tif 000015
【図１４】
2006139705.tif 000016
【図１５】
2006139705.tif 000017
【図１６】
2006139705.tif 000018
【図１７】
2006139705.tif 000019
【図１８】
2006139705.tif 000020
【図１９】
2006139705.tif 000021
【図２０】
2006139705.tif 000022